(57)【要約】　　　（修正有）【課題】非常防犯通報及び緊急通報機能をもつ携帯電話を提供する。【解決手段】スイッチＡを押すと赤色灯が点灯し、非常警報ブザーが鳴動する。また、テンキーに登録している電話番号がスタンバイ状態となり、テンキーのいずれかを押すと、即通話が可能となる。さらに、ストラップを抜いた場合、ブザーはバッテリーのある限り鳴動する。【選択図】　　図１
0003099193.tif 000002
【実用新案登録請求の範囲】
【請求項１】
市販の携帯電話に押しスイッチを設けスイッチを　押すとブザーが鳴動し赤色ランプが点灯しテンキーは１−０まで短縮電話がスタンバイになる。電話がつながったらブザー音は消える。又ストラップが抜けるとブザーが鳴動し赤色ランプが点灯しテンキーは１−０まで電話がスタンバイになる。電話がつながったらブザー音は消える。
【考案の詳細な説明】
【０００１】
【発明に属する技術分野】
本発明は市販の携帯電話を情報やコミニケーションだけでなく現時点の高齢化社会・少子化社会に目を向け病気事故救助の緊急時に敏速に対応し犯罪防止等を考えた総合携帯電話。
【０００２】
【従来の技術】
従来の携帯電話は遊びや連絡仕事が本意である場合が多い。
【０００３】
【発明が解決しようとする課題】
以上述べた現在の携帯電話は緊急時に役に立つのが遅い。
【０００４】
本発明はこのような従来の携帯より少し構造を変えセキュリティー部品を変えるだけでより円滑に効果を発揮。
【０００５】
【課題を解決するための手段】
本発明は上記目的を達成するため現在市販されている携帯電話より少し型は大きくなり重さもます。
【０００６】
出来るだけ軽量、小型になる様に配置する構造としたものである。
【０００７】
上記第１の課題の解決手段による作用は次のとおりである。すなわちＡのスイ
ッチを押せば自分の思っている人につながる。
【０００８】
またストラップが抜けた場合はブザーはバッテリーのある限りなり犯罪防止に
効果を発揮する。
【０００９】
一人で居る時に急にぐわいが悪くなった時にＡスイッチを押すかストラップを
抜けば他人に知らせる事が出来る。
【００１０】
Ａスイッチ　　このスイッチを押すと警報ブザーが鳴動し赤色ランプが点灯する。この時テンキーの１−０を押せばセットしていた相手に自動的に電話がつながり相手が出たら警報ブザーは止まるが赤色ランプは点灯したまま通話がすめばもう一度Ａスイッチを押せば赤色ランプは消え電話も切れる。　　　　　９＝１１９番　　　０＝１１０番
Ａ′Ａ″各スイッチは他人に知られたくない時又は音を出したら都合の悪い時に使用する。
Ｂスイッチ　このストラップが抜けると自動的にスイッチが入りブザーが鳴動し赤色ランプが点灯しこの時テンキーの１−０を押せばセットしていた相手に自動的に電話がつながり相手がでたら警報ブザーは止まるが赤色ランプは点灯したまま。ストラップを元に戻せばブザーと赤色ランプはきえる。
Ｂ′ストラップをなくした時に押せばブザー音赤色ランプは消える。
【発明の効果】
上述したように本発明の非常通報付き携帯電話は老人から中年若者子供まで幅
広く提供出来る。海外での使用も可能性が高い
【００１１】
少し型が大きくなり重さが増えるがこれが一体になっていれば犯罪病気事故救
助等に発揮する効果は大きい。
【図面の簡単な説明】
【図１】本考案を示した平面図である。
【符号の説明】
Ａ−手動警報スイッチ兼短縮スイッチと赤色ランプ。
Ａ′−ブザー音を消すスイッチ。
Ａ″−赤色灯を消すスイッチ。
Ｂ−ストラップを強く引くと抜けて自動的にスイッチが入る。
Ｂ′−ストラップをなくした時に押すスイッチ。
Ｃ−テンキー
Ｄ−講入者番号
Ｅ−アンテナ
Ｆ−液晶画面
Ｇ−機能ボタン
Ｈ−受信
Ｉ−送信
Ｊ−丁番
【図１】
0003099193.tif 000003
【手続補正書】
【提出日】平成15年6月4日(2003.6.4)
【手続補正１】
【補正対象書類名】明細書
【補正対象項目名】実用新案登録請求の範囲
【補正方法】変更
【補正の内容】
【実用新案登録請求の範囲】
【請求項１】
（１）携帯電話の正面上部のアンテナの横に一体型押しスイッチ（押しスイッチと赤色ランプ）を設けこの押しスイッチを押すとブザーが鳴動し赤色ランプが点灯しテンキー１−０までの短縮電話がスタンバイになる。
（２）携帯電話の正面上部のストラップが抜けるようにし抜いたらブザーが鳴動し赤色ランプが点灯しテンキー１−０までスタンバイになりる。
（３）上記　「１」　「２」とも電話がつながったらブザー音は消える。
（４）携帯電話の左、側面上部にブザー音、赤色ランプを消すスイッチ。
（５）携帯電話の右、側面上部にストラップをなくしたらブザーがなり放しになるので消すスイッチ。
以上の構成からなる非常防犯及び緊急通報付き携帯電話。
【手続補正２】
【補正対象書類名】明細書
【補正対象項目名】考案の詳細な説明
【補正方法】変更
【補正の内容】
【考案の詳細な説明】
【０００１】
本考案は携帯電話を情報やコミニケーションだけでなく現時点の高齢化社会・少子化社会に目を向け病気事故救助の緊急時に敏速に対応し犯罪防止等を考えた総合携帯電話に関する。
【０００２】
【従来の技術】
従来の携帯電話は遊びや連絡仕事が本意である場合が多い。
【０００３】
【考案が解決しようとする課題】
以上述べた現在の携帯電話は緊急時に役に立つのが遅い。
【０００４】
本考案はこのような従来の携帯電話より少し構造を変えセキリティー部品を変えるだけでより円滑に効果を発揮する。
【０００５】
【課題を解決するための手段】
本考案は上記目的を達成するため現在市販されている携帯電話より少し型は大きくなり重さもます。
【０００６】
出来るだけ軽量、小型になる様に配置する構造としたものである。
【０００７】
上記第１の課題の解決手段による動作は次のとおりである。すなわちＡのスイッチを押せば赤色灯点灯非常警報ブザーが鳴動する。又テンキーに登録している電話番号がスタンバイになりテンキーのいずれかを押せば即通話が出来る。
【０００８】
又ストラップを抜いた場合はブザーはバッテリーのある限り鳴動し犯罪防止に効果を発揮する。
【０００９】
障害者や老人が一人で居る時に急に体調が悪くなった時にＡスイッチを押すかストラップを抜けば他人に知らせる事が出来る。又ストーカー痴漢等に、おそわれた時にも利用出来る。
【００１０】
［Ａ　スイッチ］　このスイッチを押すと警報ブザーが鳴動し赤色ランプが点灯する。この時テンキーの１−０のいずれかを押せばセットしていた相手に自動的に電話がつながり相手が出たら警報ブザーは止まるが赤色ランプは点灯したまま通話がすめばもう一度Ａスイッチを押せば赤色ランプは消え電話も切れる
９＝１１９番　　０＝１１０番
［Ａ’，Ａ”スイッチ］各スイッチは他人に知られたら都合の悪い時に使用する。
［Ｂスイッチ］　ストラップを抜くと自動的にスイッチが入り警報ブザーが鳴動し赤色ランプが点灯しこの時テンキーの１−０のいずれかを押せばセットしていた相手に自動的に電話がつながり相手が出たら警報ブザーは止まるが赤色ランプは点灯したまま。ストラップを元に戻せばブザーと赤色ランプは消え電話も切れる。
［Ｂ’　スイッチ］　ストラップを紛失した時に押せば警報ブザー音、赤色ランプは消え電話も切れる。
【００１１】
【考案の効果】
上述したように本考案の非常防犯及び緊急通報付き携帯電話は老人から中年若者子供まで幅広く提供出来る。海外での使用も可能性が高い。
【００１２】
少し型が大きくなり重さが増えるがこれが一体になっていれば犯罪病気事故救助等に発揮する効果は大きい。


【手続補正３】
【補正対象書類名】明細書
【補正対象項目名】図面の簡単な説明
【補正方法】変更
【補正の内容】
【図面の簡単な説明】
【図１】平面図
【図２】左側面図
【図３】右側面図
【図４】正面上部側面図
【符号の説明】
Ａ−手動警報スイッチ兼短縮スイッチと赤色ランプ。
Ａ’−ブザー音を消すスイッチ。
Ａ”−赤色灯消すスイッチ。
Ｂ−ストラップを強く引くと抜けて自動的にスイッチが入る。
Ｂ’−ストラップをなくした時に押すスイッチ。
Ｃ−テンキー　　　　　Ｄ−購入者番号
Ｅ−アンテナ　　　　　Ｆ−液晶画面
Ｇ−機能ボタン　　　　Ｈ−受信
Ｉ−送信　　　　　　　Ｊ−丁番


【手続補正４】
【補正対象書類名】図面
【補正対象項目名】全図
【補正方法】変更
【補正の内容】
【図１】
0003099193.tif 000004
【図２】
0003099193.tif 000005
【図３】
0003099193.tif 000006
【図４】
0003099193.tif 000007